(57)【要約】【課題】既存のプラグに適用できるとともに、プラグ接続時はもちろんのこと、未接続状態でもコンセント周りを清浄に維持できて、適切にトラッキング火災を防止できるコンセントを提供する。【解決手段】コンセント本体２のプラグ差込部３を、コンセント本体の表面２ａから内方へ押し込み操作可能にスライド自在に設け、コンセント本体に、当該コンセント本体内方へプラグ差込部を押し込む操作で当該プラグ差込部を係止して押し込み位置に保持し、かつ再度プラグ差込部を押し込む操作で係止を解除してコンセント本体表面へプラグ差込部を押し出すプラグ差込部位置切り替え機構５を設けた。【選択図】図２
2006269231.tif 000002
【特許請求の範囲】
【請求項１】
コンセント本体のプラグ差込部を、該コンセント本体の表面から内方へ押し込み操作可能にスライド自在に設け、上記コンセント本体に、当該コンセント本体内方へ上記プラグ差込部を押し込む操作で当該プラグ差込部を係止して押し込み位置に保持し、かつ再度該プラグ差込部を押し込む操作で係止を解除して該コンセント本体表面へ該プラグ差込部を押し出すプラグ差込部位置切り替え機構を設けたことを特徴とするコンセント。
【発明の詳細な説明】
【技術分野】
【０００１】
本発明は、既存のプラグに適用できるとともに、プラグ接続時はもちろんのこと、未接続状態でもコンセント周りを清浄に維持できて、適切にトラッキング火災を防止できるコンセントに関する。
【背景技術】
【０００２】
従来、給電のためにプラグが差し込まれるコンセントでは、これらプラグとコンセントとの隙間に溜まった塵や埃などが湿気を吸着することでプラグの栓刃間にショートが発生し、これにより発火が誘発されて起こるトラッキング火災が問題とされている。これに対処する提案として、例えば特許文献１が知られている。この特許文献１では、コンセントの雄雌双方の接着部分に段差型の凹凸を設け、塵、埃、湿気、水分の付着進入を防ぎ、トラッキング現象による発火を防止するようにしている。
【０００３】
【特許文献１】特開２００４−７１５２３号公報
【発明の開示】
【発明が解決しようとする課題】
【０００４】
ところで、特許文献１にあっては、プラグとコンセントの双方に、互いに嵌り合う凹凸部を形成するようにしている。このため、プラグおよびコンセント両方を新たな形状に変更する必要があって、生産ラインの大幅な変更が必要になるとともに、特に既存のプラグでは、凹状に形成される当該コンセントに適切に嵌め合わせることができないという課題があった。また、コンセントが凹状に形成されるため、プラグ未接続の状態が続くと、この凹部に埃や塵が溜まりやすく、そのままの状態でプラグを接続すると、プラグ栓刃と刃受との間に埃などが挟まり接触不良との原因となったり、プラグを差し込むと凹部内に埃を圧縮した状態となるため、この状態が長時間続くと、却ってトラッキング火災を誘引するおそれもあった。そのため、プラグを接続する際には、凹部を掃除することに労力を割かなければならなかった。
【０００５】
本発明は、上記従来の課題に鑑みて創案されたものであって、既存のプラグをそのまま使用できるとともに、プラグ接続時はもちろんのこと、未接続状態でもコンセント周りを清浄に維持できて、適切にトラッキング火災を防止できるコンセントを提供することを目的とする。
【課題を解決するための手段】
【０００６】
本発明にかかるコンセントは、コンセント本体のプラグ差込部を、該コンセント本体の表面から内方へ押し込み操作可能にスライド自在に設け、上記コンセント本体に、当該コンセント本体内方へ上記プラグ差込部を押し込む操作で当該プラグ差込部を係止して押し込み位置に保持し、かつ再度該プラグ差込部を押し込む操作で係止を解除して該コンセント本体表面へ該プラグ差込部を押し出すプラグ差込部位置切り替え機構を設けたことを特徴とする。
【発明の効果】
【０００７】
本発明にかかるコンセントにあっては、既存のプラグをそのまま使用できるとともに、プラグ接続時はもちろんのこと、未接続状態でもコンセント周りを清浄に維持できて、適切にトラッキング火災を防止することができる。
【発明を実施するための最良の形態】
【０００８】
以下、図面を参照して、本発明のコンセントの好適な一実施形態を詳細に説明する。図１は、本発明にかかるコンセントの好適な一実施形態を示す正面図であり、図２は図１のコンセントの概略側断面図である。また、図３は、図１のコンセントに適用されるプラグ差し込み位置切り替え機構の一例を示す説明図である。
【０００９】
本実施形態のコンセント１は、図１から図３に示すように、コンセント本体２を備え、このコンセント本体２にはその表面、すなわちプラグ差込部３前面が露出して設けられる前面２ａから内方へ向かってスライド用穴４が形成される。スライド用穴４には、ボックス状のプラグ差込部３がコンセント本体２の前面２ａと面一な位置から内方へ向かって押し込み操作可能にスライド自在に設けられる。プラグ差込部３には、その内部に収納された刃受に給電するための図示しない給電線が、当該プラグ差込部３のスライド移動のストロークを妨げないように余裕をもって接続される。
【００１０】
このコンセント本体２内には、プラグ差込部位置切り替え機構５が設けられる。図示例にあっては、プラグ差込部位置切り替え機構５は、スライド用穴４直下に位置させて設けられている。しかしながら、スライド用穴４の周囲であれば、上下左右いずれの位置に設けてもよく、例えば左右または上下に対をなして設けてもよい。
【００１１】
プラグ差込部位置切り替え機構５は、コンセント本体２内方へプラグ差込部３を押し込むことによって当該プラグ差込部３を係止して押し込み位置に保持し、再度プラグ差込部３を押し込むことによって係止を解除してコンセント本体表面２ａと面一となる位置にプラグ差込部３を押し出すように機能する。この機能自体は、テレビの端子接続部を隠蔽するパネルやオーディオ機器などの操作パネルを開閉する機構としてよく知られていて、例えばハート形カムを利用したものなどが周知である。本実施形態にあっては、図３に示すように構成されるが、その他の構成であってもよいことはもちろんである。
【００１２】
プラグ差込部位置切り替え機構５の一例は、図３に示すように、コンセント本体２に固定して設けられ、一端が開放端６ａとされ、他端が閉止端６ｂとされた中空筒体状のスリーブ６と、プラグ差込部３に固定され、該プラグ差込部３とともにスライド移動するシフター９とからなる。
【００１３】
スリーブ６内には、往復スライド移動自在に設けられたスライダ７と、鍔部８ａを先端に有しかつ基端がスライダ７にヒンジ結合されたグリップ８と、スライダ７に回転自在に設けられた従動カム１０と、従動カム１０を作動してスライダ７を当該スリーブ６に係脱させる係脱手段１１と、スライダ７とスリーブ６の閉止端６ｂとの間に設けられ、スライダ７をスリーブ６の開放端６ａへ向かって押し出すバネ１２とが配置される。グリップ８は、往復移動されるスライダ７がスリーブ６内方へ進入する際に、スリーブ６の開放端６ａと当接して窄められ、スライダ７がスリーブ６外方へ進出する際に拡張するようになっている。
【００１４】
シフター９は、プラグ差込部３に、グリップ８と相対向させて設けられ、窄められるグリップ８の鍔部８ａによってスライダ７に一体に保持されるとともに、グリップ８が拡張可能となることでスライダ７から離脱される頭部９ａを有しており、グリップ８を介してスライダ７をスリーブ６内方へ押し込むようになっている。
【００１５】
係脱手段１１は、スリーブ６内に設けられた２つの第１カム１３および第２カム１４から構成される。第１カム１３は、シフター９によってスライダ７がスリーブ６内方へ押し込まれる際に、従動カム１０を第１カム１３の係止部１３ａに向けるための第２カム１４の第１カム面１４ａに向かせる当接面１３ｂと、第２カム１４の第１カム面１４ａに当接されて従動カム１０の向きが変えられたスライダ７がバネ１２で戻る際に、従動カム１０を係止する係止部１３ａとを有する。第２カム１４は、第１カム面１４ａに加えて、再度スライダ７がスリーブ６内へ押し込まれる際に係止部１３ａから離脱する従動カム１０と当接してその向きを変え、スライダ７がバネ１２で押し出される際に、従動カム１０に第１カム１３の当接面１３ａに沿う方向の習性を与える第２カム面１４ｂを有する。
【００１６】
従って、プラグ差込部位置切り替え機構５では、最初にシフター９がバネ１２の付勢力に抗してスライダ７をスリーブ６内方へ押し込むと、シフター９は、スライダ７の移動に伴ってスリーブ６により閉じられるグリップ８の鍔部８ａによって頭部９ａが保持される。一方、スライダ７の従動カム１０は、第１カム１３の当接面１３ｂに沿って第２カム１４に向かって移動し、当該第１カム１３の当接面１３ｂから離脱した後に第２カム１４の第１カム面１４ａで向きが変えられる。シフター９によるスライダ７の押し込み操作後は今度は、バネ１２によってスライダ７が反対方向に戻される。このスライダ７の戻り方向のスライド移動の際、第１カム面１４ａで向きが変えられた従動カム１０が第１カム１３の係止部１３ａに係止される。これによりスライダ７の戻り動作が停止され、スライダ７を押し込み操作したシフター９の移動も停止されてその位置が保持される。
【００１７】
次いで、再度シフター９によりバネ１２に抗してスライダ７が押し込み操作されると、係止部１３ａから離脱した従動カム１０は、今度は第２カム１４の第２カム面１４ｂに当接されてその向きが変えられ、これに続いてスライダ７がバネ１２によって押し出されると、従動カム１０は第１カム１３の当接面１３ｂに当接されて当該当接面１３ｂに沿う方向に向きが変えられることとなり、これに伴ってスライダ７がスリーブ６外方へ向かって押し出される。これにより、シフター９は最初の押し込み操作位置（コンセント本体表面２ａと面一となる位置）に復帰される一方、スライダ７がスリーブ６外方へ押し出されるのに伴って、グリップ８が拡張可能になって、鍔部８ａに保持されていたシフター９の頭部９ａもグリップ８から離脱される。このような作用により、プラグ差込部３に設けられたシフター９の位置が押し込み操作位置と押し出し位置との間で切り替えられるようになっている。
【００１８】
次に、本実施形態にかかるコンセント１の作用について説明すると、コンセント本体２のプラグ差込部３は、プラグ１５が差し込まれていないときには、その前面２ａと面一な位置に保持される。このとき、プラグ差込部３に設けられたシフター９は、グリップ８から離脱された状態となっている。プラグ１５をプラグ差込部３に向かって差し込むと、この差し込みに伴ってプラグ差込部３がコンセント本体２内方へ向かって押し込まれ、これによりシフター９がスライダ７をスリーブ６内に押し込まれることとなって、従動カム１０が第１カム１３の係止部１３ａに係止される。また、スライダ７のグリップ８もシフター９を保持する。これにより、スライダ７およびシフター９、ひいてはプラグ差込部３がスリーブ６を介してコンセント本体２に係止され、当該コンセント本体２内方の押し込み位置に保持される。
【００１９】
次いで、再度プラグ１５を手で持ってプラグ差込部３をコンセント本体２内方に押し込むと、従動カム１０が係止部１３ａから離脱され、これによりバネ１２でスライダ７がスリーブ６外方へ向かって押し出されることとなり、プラグ差込部３もバネ１２による押し出しにより、コンセント本体前面２ａと面一の位置に押し出されることになる。
【００２０】
以上説明した本実施形態に係るコンセント１にあっては、コンセント本体２のプラグ差込部３を、コンセント本体前面２ａから内方へ押し込み操作可能にスライド自在に設け、コンセント本体２に、当該コンセント本体２内方へプラグ差込部３を押し込む操作でプラグ差込部３を係止して押し込み位置に保持し、かつ再度プラグ差込部３を押し込む操作で係止を解除してコンセント本体表面２ａへプラグ差込部３を押し出すプラグ差込部位置切り替え機構５を設けたので、プラグ差込部３に差し込まれるプラグ１５自体には何らの設計変更や改変を行う必要がなくて、既存のプラグをそのまま使用して適切に接続することができる。
【００２１】
また、プラグの未接続状態では塵や埃が溜まり易く、そのために掃除が必要であるとともに、トラッキング火災を誘発するおそれも考えられる背景技術とは異なり、本実施形態にあっては、プラグ１５の未接続状態では、プラグ差込部３をコンセント本体２の前面２ａと面一に位置させることができるとともに、プラグ１５の接続状態では、プラグ１５とプラグ差込部３との隙間をコンセント本体２内方に隠蔽することができ、いずれの状態にあってもプラグ差込部３周りを常に清浄に保つことが可能で、トラッキング火災の発生を適切に防止することができる。
【００２２】
なお、以上のように２極、２個口のコンセントについて本実施形態を説明したが、これ以外のコンセント、例えば３極以上または１個口もしくは３個口以上のコンセントにおいても同様であることは言うまでもない。
【図面の簡単な説明】
【００２３】
【図１】本発明にかかるコンセントの好適な一実施形態を示す正面図である。
【図２】図１のコンセントの概略側断面図である。
【図３】図１のコンセントに適用されるプラグ差し込み位置切り替え機構の一例を示す説明図である。
【符号の説明】
【００２４】
１  コンセント
２  コンセント本体
２ａ  コンセント本体表面
３  プラグ差込部
５  プラグ差込部位置切り替え機構
【図１】
2006269231.tif 000003
【図２】
2006269231.tif 000004
【図３】
2006269231.tif 000005